(57)【特許請求の範囲】
【請求項１】
外方軌道（１６）を有する外方継ぎ手部材（１１）と、
内方軌道（２６）を有する内方継ぎ手部材（２１）と、
前記外方軌道および前記内方軌道からなっている軌道対に収容されるトルク伝達ボール（３６）と、
前記ボールが共通平面内に保持されかつ前記継ぎ手が連接されるとき角度２等分平面上に案内されるケージ窓（３４）を有するボールケージ（３１）と、を含む、対向軌道継ぎ手の形における等速固定ボール継ぎ手であって、
第１外方軌道（１６１）及び第１内方軌道（２６１）が第１軌道対（１６１，２６１）を形成し、前記第１軌道対（１６１，２６１）が前記内方継ぎ手部材（２１）の接続端部に向かって第１軸方向（Ｒ１）に広がっていると共に第１ボール（３６１）を保持し、
第２外方軌道（１６２）及び第２内方軌道（２６２）が第２軌道対（１６２，２６２）を形成し、前記第２軌道対（１６２，２６２）が前記外方継ぎ手部材（１１）の接続端部に向かって第２軸方向（Ｒ２）に広がっていると共に第２ボール（３６２）を保持し、
前記外方継ぎ手部材（１１）が、前記外方継ぎ手部材（１１）の内側で、前記ボールケージ（３１）が継ぎ手の組み立ての間中前記外方継ぎ手部材（１１）に対して軸方向に移動可能である軸方向移動面（１９）を形成し、
前記外方継ぎ手部材（１１）が、前記外方継ぎ手部材（１１）の内側で、前記ボールケージ（３１）の外面（３２）用の第１停止および案内面（１８）を形成し、その第１停止および案内面（１８）は前記第２軸方向（Ｒ２）に向かい合っており、
前記外方継ぎ手部材（１１）に挿入される保持要素（３５）が前記ボールケージ（３１）の外面（３２）用の第２停止および案内面（３８）を形成し、その第２停止および案内面（３８）が前記第１軸方向（Ｒ１）に向かい合っており、
前記ボールケージ（３１）が、前記ボールケージ（３１）の内側で、前記内方継ぎ手部材（２１）の球状外面（２３）が継ぎ手の組み立ての間中軸方向に移動可能である案内面（３３）を形成し、
継ぎ手の組み立てのために、前記保持要素（３５）が前記外方継ぎ手部材（１１）から解放されかつ前記外方継ぎ手部材（１１）の接続端に向かって前記第２軸方向（Ｒ２）に移動され、継ぎ手が組み立てられるとき、前記保持要素（３５）が遊びのない方法で前記ボールケージ（３１）を軸方向に固定するために前記内方継ぎ手部材（２１）の前記接続端に向かって前記第１軸方向（Ｒ１）に移動されそして前記保持要素（３５）が前記ボールケージ（３１）に対して停止しかつ前記外方継ぎ手部材（１１）上に軸方向に支持されることを特徴とする等速固定ボール継ぎ手。
【発明の詳細な説明】
【０００１】
【発明の属する技術分野】
本発明は、外方軌道を有する外方継ぎ手部材、内方軌道を有する内方継ぎ手部材、前記外方軌道および前記内方軌道からなっている軌道対に収容されるトルク伝達ボール、および前記ボールが共通平面内に保持されかつ前記ボールが、前記継ぎ手が連接されるとき角度２等分平面上に案内されるケージ窓を有するボールケージを含んでおり；第１外方軌道及び第１内方軌道が、前記内方継ぎ手部材の接続端部に向かって第１軸方向に広がりかつ第１ボールを保持する第１軌道対を形成し；第２外方軌道及び第２内方軌道が、前記外方継ぎ手部材の接続端部に向かって第２軸方向に広がりかつ第２ボールを保持する第２軌道対を形成し；前記角度２等分平面が、継ぎ手が連接されるとき前記外方継ぎ手部材と前記内方継ぎ手部材の軸線間の角度を対称的に分割する平面である、対向軌道継ぎ手の形における等速固定ボール継ぎ手に関するものである。
【０００２】
【従来の技術】
この型の継ぎ手は従来から知られている（例えば、特許文献１参照）。
【０００３】
【特許文献１】
独国特許出願公開第１００６０１１９．７−１２号明細書
【０００４】
【発明が解決しようとする課題】
この型の継ぎ手において、これまでは、ケージの外面が両軸方向において外方継ぎ手部材上に支持体を設けるための球状面を形成しかつケージの内面が軸方向の一方に内方部材を支持するための内方球状面を形成することが提案された。
【０００５】
ケージを軸方向に固定するために、外方継ぎ手部材はケージに軸方向に作用する別個の停止手段を備えている。環状形状において、前記停止手段が外方継ぎ手部材の開口端に固定されるならば、それらは継ぎ手の連接角度を制限し得る。停止手段が外方継ぎ手部材用の接続端に固定されるならば、組み立て後、外方継ぎ手部材に接続されねばならない別個の継ぎ手基部を設ける必要がある。
【０００６】
本発明の目的は、外方継ぎ手部材と内方継ぎ手部材が、実質上、軸方向に取り付けられ得る対向軌道継ぎ手を提供することにある。
【０００７】
【課題を解決するための手段】
上記目的は、以下の特徴、すなわち、
その内側で、前記外方継ぎ手部材が、前記ボールケージが継ぎ手の組み立ての間中前記外方継ぎ手部材に対して軸方向に移動可能である軸方向移動面を形成し；
その内側で、前記外方継ぎ手部材が前記ボールケージの外面用の第１停止および案内面を形成し、その第１停止および案内面は前記第２軸方向に向かい合っており；
前記外方継ぎ手部材に挿入される保持要素が前記ボールケージの外面用の第２停止および案内面を形成し、その第２停止および案内面が前記第１軸方向に向かい合っており；
その内側で、前記ボールケージが前記内方継ぎ手部材の球状外面が継ぎ手の組み立ての間中軸方向に移動可能である案内面を形成し；
継ぎ手の組み立てのために、前記保持要素が前記外方継ぎ手部材から解放されかつ前記外方継ぎ手部材の接続端に向かって前記第２軸方向に移動されそして、継ぎ手が組み立てられるとき、前記保持要素が遊びのない方法において前記ボールケージを軸方向に固定するために前記内方継ぎ手部材の前記接続端に向かって前記第１軸方向に移動されそして前記保持要素が前記ボールケージに対して停止しかつ前記外方継ぎ手部材上に軸方向に支持されることを有する最初に述べた型の継ぎ手によって達成される。
【０００８】
好都合な実施の形態によれば、前記外方継ぎ手部材の前記軸方向移動面が少なくとも前記第２外方軌道の最も深い領域まで前記第１停止および案内面から軸方向に延びることが提案される。前記軸方向移動面は、好ましくは、軸方向の移動運動の間中遊びのない方法においてケージを案内することができるように内方に筒状である。組み立てのために、外方継ぎ手部材に対して同軸的に整列されるケージは、外方継ぎ手部材の予め定められた領域内に軸方向に移動されることができる。
【０００９】
内方継ぎ手部材は、ボールがケージに取り付けられかつケージの内側から外方軌道に挿入されるようなボールを許容するように十分に離して外方継ぎ手部材の接続端に向かって押される前にケージに導入される。続いて、内方継ぎ手部材はこの内方継ぎ手部材の接続端に向かって反対方向に移動される。外方継ぎ手部材の内側のケージの軸方向移動通路は、内方軌道の最も高い点とともに、内方継ぎ手部材が、
ボールを通って案内されるようにボールが外方軌道の最も深い領域に入ることができるように寸法付けられる。
【００１０】
軸方向組み立ては、内方継ぎ手部材が、組み立てのために、外方継ぎ手部材の内部に深く導入されたとき、保持要素の後で、内方継ぎ手部材の接続端に向かって保持要素を移動することによって行われる。外方継ぎ手部材は組み立ての間中保持要素を収容する深くされた内部を形成することができる。ケージおよび内方継ぎ手部材はそれぞれ外方継ぎ手部材に一体に設けられる第１停止および案内面によって内方継ぎ手部材の接続端に向かって支持される。この実施の形態の利点は、継ぎ手ジャーナルの連接運動が内方継ぎ手部材の接続端で外方継ぎ手部材において保持要素によって制限されないということである。
【００１１】
非常に好都合な方法において、ここで記載される型の継ぎ手は一体に形成された継ぎ手ジャーナルを有する内方継ぎ手部材を含むことができ、その結果として接続の強度は増加されかつ部品の数が減少される。これは、順次、継ぎ手が実質上軸方向に取り付けられるのを許容し、そこに継ぎ手が連接される必要がない。結果として、ケージの窓の周部長さは、また、ケージの強度を増大する、運転の連接角度に必要とされる寸法に制限される。
【００１２】
好適な実施の形態において、保持要素は、外方軌道間に位置決めされながら、ボールケージの球状外面と協働する、個々の指部が取着される厚い板状金属カバーの形で設けられる。一体に形成された基部により、保持要素は軸方向の調整ネジによって基部に軸方向に固定され得る。さらに他の実施の形態によれば、保持要素は、圧縮された状態において、外方継ぎ手部材の基部開口に押し込まれることができかつ半径方向に緊張されない状態において、外方継ぎ手部材の環状縁部に支持される弾力のある環状カラーを含むことができる。
【００１３】
さらに他の実施の形態によれば、保持要素は外方継ぎ手部材の基部開口に軸方向に移動され得る筒状部分を含むことが提案され、前記基部開口は固定リングを挿入するための環状溝を含んでいる。さらに他の好適な実施の形態によれば、保持要素は、外方継ぎ手部材の基部上に弾力的に支持される板ばね状中央領域を備えることができる。
【００１４】
強度のために、外方継ぎ手部材は、その接続端において、一体に形成された基部を備えることができる。原則として、保持要素は内方継ぎ手部材の接続端から外方継ぎ手部材の開口を通ってのみ外方継ぎ手部材に挿入されることができる。同じように、ケージと内方継ぎ手部材は内方継ぎ手部材用の接続端から外方継ぎ手部材の開口を通ってのみ外方継ぎ手部材に実質上同軸的に挿入されることができる。
【００１５】
ケージが内方継ぎ手部材用の純粋に筒状の案内面を含むかまたは内方継ぎ手部材の接続端に向いているその側で、ケージが内方に向かって引き込まれているかどうかに依存して、まず、ケージかつ次いで内方継ぎ手部材に関して、または、まず、内方継ぎ手部材に関してかつ次いでケージに関して取り付けられることが必要である。ケージの外面は好ましくは形状において球状である。
【００１６】
とくに好都合な実施の形態によれば、ベアリング手段が前記外方継ぎ手部材上に直接摺動され、前記ベアリング手段が前記内方継ぎ手部材の接続端から二重列ベアリングの形において摺動され、一方、前記外方継ぎ手部材上に突起によって軸方向に固定されている。この方法において、継ぎ手およびホイールハブはベアリングと一体にされる。固定継ぎ手を接続するのに必要とされる部品の数はかくして減少される。緩い継ぎ手に通じる中間軸の長さは増大され得る。好都合な支持運動を達成するために、ベアリングの２列のボールは、好ましくは、継ぎ手が整列された状態にあるとき、ボール中心を通って延びる平面の両側に位置決めされる。
【００１７】
外方継ぎ手部材がその接続端に向かって軸方向に深くされかつ組み立てのために、保持要素および内方継ぎ手部材ならびにケージが、一時的に深く入ることができる内部を含み、そしてボールが取り付けられた後、ケージと保持要素が内方継ぎ手部材の接続端に向かって移動されかつ軸方向に固定されることができる。
【００１８】
好都合な実施の形態によれば、第１軌道対が第１軌道対と反対に半径方向に配置されかつ第２軌道対が第２軌道対と反対に半径方向に配置されることが提案される。とくに、第１軌道対および第２軌道対が周部を横切って交互であるように配置されることが提案される。好ましくは、８個の均一に周部に分布された軌道対を有する継ぎ手が提案される。特定された手段はゼロから一定にずれるそれらのボール上の半径方向に対向の軌道対によって印加される結果として生じる制御力を達成する。
【００１９】
本発明の好適な実施の形態を以下の図面において例示する。
【００２０】
【発明の実施の形態】
図１および図２の２つの例示が以下で共同して説明される。外方継ぎ手部材１１は開口１３を備えた内部１２および反対端に向かって内部１２を閉止する対向基部１４を含んでいる。接続ジャーナル１５は基部１４の端部において外方継ぎ手部材１１上に形成される。外方継ぎ手部材にはこの外方継ぎ手部材の突起４０を介して軸方向に固定される転動接触ベアリング構体１７が位置決めされる。内部１２には、開口１３から現れている一体に形成された軸ジャーナル２２を備えた内方継ぎ手部材２１が配置される。外方継ぎ手部材１１と内方継ぎ手部材２１との間には、ボールケージ３１が位置決めされる。
【００２１】
そのうえ、中央ネジ３７によって軸方向に配置される保持要素３５が内部に挿入される。継ぎ手は、継ぎ手中心から内方継ぎ手部材の接続端へ延びて第１の方向Ｒ１に向かって互いから遠ざかる第１外方軌道１６１および第１内方軌道２６１を含んでいる。そのうえ、継ぎ手は、継ぎ手中心から外方継ぎ手部材のジャーナル端へ向って延びて第２の方向Ｒ２に向かって互いから遠ざかる第２外方軌道１６２および第２内方軌道２６２を含んでいる。トルク伝達ボール３６１，３６２は内方軌道および外方軌道から形成される軌道対に配置される。ボールケージ３１は球状外面３２および筒状内面３３を含んでいる。ボールはケージ３１の窓３４に保持される。
【００２２】
その球状外面３２によって、ケージ３１は外方継ぎ手部材１１の第１停止および案内面１８に載置し、この第１停止および案内面１８は内方継ぎ手部材２１が第１の方向Ｒ1に移動されるのを阻止する。停止面１８には、その内側でケージ３１が組み立ての間中軸方向に移動可能である内方に筒状の軸方向移動面１９が追随する。そのうえ、外方継ぎ手部材１１は、順次、ケージ３１が第２の方向Ｒ2に移動されるのを阻止する第２停止および案内面３８を形成する環状保持要素３５用の内方に筒状の移動面２０を含んでいる。前記第２停止および案内面３８は第１停止および案内面１８に対して遊びのない方法においてケージ３１を軸方向に保持する。
【００２３】
停止および案内面１８は外方軌道１６によって遮断される。停止および案内面３８は保持要素の個々の指部に設けられ、その指部は外方軌道１６間に達する。このために、保持要素３５は外方継ぎ手部材１１に螺入されるネジ３７によって第１の方向Ｒ1に移動面２０内で軸方向に移動される。
【００２４】
図３は早期組み立て段階における図１による継ぎ手を示している。ネジは基部１４から外され、その結果移動面２０において保持要素３５は右方に向かって移動されている。ケージ３１は、保持要素３５が開口１３から外方継ぎ手部材１１に挿入されるとき外方継ぎ手部材１１の軸方向の移動面１９に既に挿入されている。
【００２５】
ケージ３１を挿入するために、ケージは、まず、横軸のまわりに９０°だけ回転されかつ２つの外方軌道１６の間のウェブを窓３４の１つに通すことによって外方継ぎ手部材に転動されねばならず；転動運動によって、ケージ３１は次いで横軸のまわりに９０°だけ戻される場合に内部１２に導入され、その結果例示されたような位置を取る。同軸位置に配置されている外方継ぎ手部材１１およびケージ３１によって、隣接する軸ジャーナル２２を有する内方継ぎ手部材２１は、また、すでに同軸に配置されかつ部分的にケージ３１に導入される。軸方向の移動面１９内のケージ３１の軸方向の位置は重要ではない。
【００２６】
図４において、内方継ぎ手部材２１は内部１２にさらに軸方向に導入されかつ角度によりそれに対して連接される。ケージ３１は外方継ぎ手部材１１に対してその同軸の位置に保持し続ける。第１のボール３６2はケージ３１の窓３４の１つに内側から開口１３を通って導入されている過程にある。
【００２７】
図５は、ところで、内部１２に深く導入されている内方継ぎ手部材２１により、すべてのボールが取り付けられた、すなわち、それらが内側からケージ窓３４に挿入されかつ外方軌道１６1，１６2に係合することを示している。軸方向の移動面１９内のケージ３１は第２の方向Ｒ2に右方に向かって移動され、かつその球状外面３２によって、また、第２の方向Ｒ2に右方に向かって移動される保持要素の第２停止および案内面３８に対して軸方向に載置しており、ボールは外方軌道２６1，２６2にすでに部分的に入っている。
【００２８】
左方に向かう第１の方向Ｒ1における内方継ぎ手部材２１の戻り運動の間中内方軌道２６2の軌道基部の最も高い点をボールが克服できるように、ケージは、案内面１９内で、ボール３６2が外方軌道１６2の最も深い点に達することができるような範囲に右方に向かって一時的に移動される必要がある。これは、継ぎ手を組み立てるために案内面１９内でのケージの軸方向の移動性を説明する必要がある。
【００２９】
図６は、ケージが組み立てのために軸方向に移動された後に、ケージが、ネジ３７が螺入されかつ案内面２０において保持要素３５が、環状の第２停止および案内面３８が第１停止および案内面１８に対してケージを、遊びのない方法において、軸方向に固定するような範囲に左方に向かって第１方向Ｒ1に移動されることによって第１停止および案内面１８に対して再び載置するようにどのようになされたかを示している。内方継ぎ手部材２１はボール３６1，３６2がそれらの関連のボール軌道１６1，２６1，１６2，２６2と接触することができるのに十分離して外方継ぎ手部材１１から引き出された。
【００３０】
図７および図８において、図１に示された詳細と同一の詳細が同一の参照番号を備えている。その範囲で、図１の説明が参照される。保持要素３５は−例示されたような取り付けられた状態において−外方継ぎ手部材１１の内方縁部２４上に支持される半径方向に弾力のあるカラー３９を含んでいる。前記内方縁部２４には、軸方向の組み立てのために、半径方向に圧縮されたリング３９をその中に押圧することができる筒状の基部開口２５が追随する。
【００３１】
図９および図１０において、図１に示された詳細と同一の詳細が同一の参照番号を備えている。その範囲で、図１の説明が参照される。この場合に、保持要素３５は筒状基部開口２５内に軸方向に移動可能である皿形状の基部部分４２を含んでいる。基部開口２５は固定リング２８がそこに固定されかつ保持要素３５を軸方向に固定するのに役立つ環状溝２７を含んでいる。
【００３２】
図１１および図１２において、図１に示された詳細と同一の詳細が同一の参照番号を備えている。その範囲で、図１の説明が参照される。図１１および図１２は、保持要素３５が、外方継ぎ手部材１１の基部１４上に弾力的に支持される、半径方向に弾力のある、板ばね状指部４３を含むことによって図１からずれている。
【００３３】
図１３および図１４の例示は以下で共同して説明される。軸方向図は、外方継ぎ手部材１１、内方継ぎ手部材２１、およびそれらの間の、ボール３６を有するケージ３１を示している。３つのフランジ環１５が外方継ぎ手部材上に形成される。継ぎ手開口に向かって広くなる第１軌道対１６1，２６1および継ぎ手開口に向かって狭くなる第２軌道対１６2，２６2が交互に周部に配置されて設けられる。
【００３４】
８個の軌道対が設けられるならば、第１の軌道対は互いに半径方向に反対に半径方向位置されかつ第２の軌道対は互いに半径方向に反対に配置される。屈曲された断面平面Ａ−Ａによれば、長手方向断面図は第１軌道対１６1，２６1および第２軌道対１６2，２６2を示している。他の方法では、同一の図１１の説明および参照番号が参照される。
【００３５】
以下に本発明の実施の形態を要約列挙する。
【００３６】
＜１＞外方軌道（１６）を有する外方継ぎ手部材（１１）、内方軌道（２６）を有する内方継ぎ手部材（２１）、前記外方軌道および前記内方軌道からなっている軌道対に収容されるトルク伝達ボール（３６）、および前記ボールが共通平面内に保持されかつ前記継ぎ手が連接されるとき角度２等分平面上に案内されるケージ窓（３４）を有するボールケージ（３１）を含む、対向軌道継ぎ手の形における等速固定ボール継ぎ手において；第１外方軌道（１６１）及び第１内方軌道（２６１）が第１軌道対（１６１，２６１）を形成し、前記第１軌道対（１６１，２６１）が前記内方継ぎ手部材（２１）の接続端部に向かって第１軸方向（Ｒ１）に広がっていると共に第１ボール（３６１）を保持し；第２外方軌道（１６２）及び第２内方軌道（２６２）が第２軌道対（１６２，２６２）を形成し、前記第２軌道対（１６２，２６２）が前記外方継ぎ手部材（１１）の接続端部に向かって第２軸方向（Ｒ２）に広がっていると共に第２ボール（３６２）を保持し；前記外方継ぎ手部材（１１）が、前記外方継ぎ手部材（１１）の内側で、前記ボールケージ（３１）が継ぎ手の組み立ての間中前記外方継ぎ手部材（１１）に対して軸方向に移動可能である軸方向移動面（１９）を形成し；前記外方継ぎ手部材（１１）が、前記外方継ぎ手部材（１１）の内側で、前記ボールケージ（３１）の外面（３２）用の第１停止および案内面（１８）を形成し、その第１停止および案内面（１８）は前記第２軸方向（Ｒ２）に向かい合っており；前記外方継ぎ手部材（１１）に挿入される保持要素（３５）が前記ボールケージ（３１）の外面（３２）用の第２停止および案内面（３８）を形成し、その第２停止および案内面（３８）が前記第１軸方向（Ｒ１）に向かい合っており；前記ボールケージ（３１）が、前記ボールケージ（３１）の内側で、前記内方継ぎ手部材（２１）の球状外面（２３）が継ぎ手の組み立ての間中軸方向に移動可能である案内面（３３）を形成し；継ぎ手の組み立てのために、前記保持要素（３５）が前記外方継ぎ手部材（１１）から解放されかつ前記外方継ぎ手部材（１１）の接続端に向かって前記第２軸方向（Ｒ２）に移動されそして、継ぎ手が組み立てられるとき、前記保持要素（３５）が遊びのない方法において前記ボールケージ（３１）を軸方向に固定するために前記内方継ぎ手部材（２１）の前記接続端に向かって前記第１軸方向（Ｒ１）に移動されそして前記保持要素（３５）が前記ボールケージ（３１）に対して停止しかつ前記外方継ぎ手部材（１１）上に軸方向に支持された等速固定ボール継ぎ手。
【００３７】
＜２＞  前記外方継ぎ手部材（１１）の前記軸方向移動面（１９）が少なくとも前記第２外方軌道（１６2）の最も深い領域まで前記第１停止および案内面（１８）から軸方向に延びている上記＜１＞に記載の等速固定ボール継ぎ手。
【００３８】
＜３＞  前記軸方向移動面（１９）が内方に筒状である上記＜２＞に記載の等速固定ボール継ぎ手。
【００３９】
＜４＞  その接続端部において、前記外方継ぎ手部材（１１）が一体に形成された継ぎ手基部（１４）を含んでいる上記＜１＞ないし＜３＞のいずれか１つに記載の等速固定ボール継ぎ手。
【００４０】
＜５＞  その接続端部において、前記内方継ぎ手部材（２１）が一体に形成された継ぎ手ジャーナル（２２）を含んでいる上記＜１＞ないし＜４＞のいずれか１つに記載の等速固定ボール継ぎ手。
【００４１】
＜６＞  前記保持要素（３５）が前記外方継ぎ手部材（１１）において軸方向固定手段と協働する上記＜１＞ないし＜５＞のいずれか１つに記載の等速固定ボール継ぎ手。
【００４２】
＜７＞  前記保持要素（３５）が軸方向に弾力がありかつ前記外方継ぎ手部材（１１）の支持面と直接協働する上記＜１＞ないし＜５＞のいずれか１つに記載の等速固定ボール継ぎ手。
【００４３】
＜８＞  前記保持要素（３５）が前記内方継ぎ手部材の接続端から単に前記外方継ぎ手部材（１１）に挿入され得る上記＜１＞ないし＜７＞のいずれか１つに記載の等速固定ボール継ぎ手。
【００４４】
＜９＞  前記ケージ（３１）が前記内方継ぎ手部材の接続端から単に前記外方継ぎ手部材（１１）に挿入され得る上記＜１＞ないし＜７＞のいずれか１つに記載の等速固定ボール継ぎ手。
【００４５】
＜１０＞  前記内方継ぎ手部材（２１）が前記内方継ぎ手部材の接続端から単に前記外方継ぎ手部材に挿入され得る上記＜１＞ないし＜７＞のいずれか１つに記載の等速固定ボール継ぎ手。
【００４６】
＜１１＞  前記ボールケージ（３１）の前記内方継ぎ手部材（２１）用の前記案内面（３３）が連続して内方に筒状である上記＜１＞ないし＜１０＞のいずれか１つに記載の等速固定ボール継ぎ手。
【００４７】
＜１２＞  前記ボールケージ（３１）の前記外面（３２）が球状である上記＜１＞ないし＜１１＞のいずれか１つに記載の等速固定ボール継ぎ手。
【００４８】
＜１３＞  ベアリング手段（１７）が前記外方継ぎ手部材（１１）上に直接摺動される上記＜１＞ないし＜１２＞のいずれか１つに載の等速固定ボール継ぎ手。
【００４９】
＜１４＞  前記ベアリング手段（１７）が前記内方継ぎ手部材（２１）の接続端から二重列ベアリングの形において摺動されかつ前記外方継ぎ手部材（１１）上に突起（４０）によって軸方向に固定される上記＜１３＞に記載の等速固定ボール継ぎ手。
【００５０】
＜１５＞  第１軌道対（１６1，２６1）が第１軌道対（１６1，２６1）と反対に半径方向に配置されかつ第２軌道対（１６2，２６2）が第２軌道対（１６2，２６2）と反対に半径方向に配置される上記＜１＞ないし＜１４＞のいずれか１つに記載の等速固定ボール継ぎ手。
【００５１】
【発明の効果】
叙上のごとく、本発明は、外方軌道を有する外方継ぎ手部材、内方軌道を有する内方継ぎ手部材、前記外方軌道および前記内方軌道からなっている軌道対に収容されるトルク伝達ボール、および前記ボールが共通平面内に保持されかつ前記継ぎ手が連接されるとき角度２等分平面上に案内されるケージ窓を有するボールケージを含む、対向軌道継ぎ手の形における等速固定ボール継ぎ手において；第１外方軌道及び第１内方軌道が第１軌道対を形成し、前記第１軌道対が前記内方継ぎ手部材の接続端部に向かって第１軸方向に広がっていると共に第１ボールを保持し；第２外方軌道及び第２内方軌道が第２軌道対を形成し、前記第２軌道対が前記外方継ぎ手部材の接続端部に向かって第２軸方向に広がっていると共に第２ボールを保持し；前記外方継ぎ手部材が、前記外方継ぎ手部材の内側で、前記ボールケージが継ぎ手の組み立ての間中前記外方継ぎ手部材に対して軸方向に移動可能である軸方向移動面を形成し；前記外方継ぎ手部材が、前記外方継ぎ手部材の内側で、前記ボールケージの外面用の第１停止および案内面を形成し、その第１停止および案内面は前記第２軸方向に向かい合っており；前記外方継ぎ手部材に挿入される保持要素が前記ボールケージの外面用の第２停止および案内面を形成し、その第２停止および案内面が前記第１軸方向に向かい合っており；前記ボールケージが、前記ボールケージの内側で、前記内方継ぎ手部材の球状外面が継ぎ手の組み立ての間中軸方向に移動可能である案内面を形成し；継ぎ手の組み立てのために、前記保持要素が前記外方継ぎ手部材から解放されかつ前記外方継ぎ手部材の接続端に向かって前記第２軸方向に移動されそして、継ぎ手が組み立てられるとき、前記保持要素が遊びのない方法において前記ボールケージを軸方向に固定するために前記内方継ぎ手部材の前記接続端に向かって前記第１軸方向に移動されそして前記保持要素が前記ボールケージに対して停止しかつ前記外方継ぎ手部材上に軸方向に支持される構成としたので、外方継ぎ手部材と内方継ぎ手部材が、実質上、軸方向に取り付けられ得る対向軌道継ぎ手を提供することができる。
【図面の簡単な説明】
【図１】本発明による継ぎ手の第１の実施の形態の２対の軌道を通って延びる平面の軸方向断面図である。
【図２】図１の第１の実施の形態の２対の軌道を通って延びる平面の軸方向断面図である。
【図３】図１による継ぎ手の第１組み立て段階を示す図である。
【図４】図１による継ぎ手の第２組み立て段階を示す図である。
【図５】図１による継ぎ手の第３組み立て段階を示す図である。
【図６】図２におけるよう仕上げ組み立てられることを示す図である。
【図７】本発明による継ぎ手の第２の実施の形態の２対の軌道を通って延びる平面の軸方向断面図である。
【図８】図７の第２の実施の形態の２対の軌道を通って延びる平面の軸方向断面図である。
【図９】本発明による継ぎ手の第３の実施の形態の２対の軌道を通って延びる平面の軸方向断面図である。
【図１０】図９の第３の実施の形態の２対の軌道を通って延びる平面の軸方向断面図である。
【図１１】本発明による継ぎ手の第４の実施の形態の２対の軌道を通って延びる平面の軸方向断面図である。
【図１２】図９の第４の実施の形態の２対の軌道を通って延びる平面の軸方向断面図である。
【図１３】図１による第１の実施の形態における本発明の継ぎ手を示す軸方向図である。
【図１４】図１３による断面平面Ａ−Ａによる軸方向断面図である。
【符号の説明】
１１  外方継ぎ手部材
１２  内部
１３  開口
１４  基部
１５  フランジ
１６  外方軌道
１７  ベアリング構体
１８  停止および案内面
１９  軸方向移動面
２０  軸方向移動面
２１  内方継ぎ手部材
２２  軸ジャーナル
２３  外面（球状）
２４  突起
２５  内面
２６  内方軌道
２７  環状溝
２８  固定リング
３１  ケージ
３２  外面（球状）
３３  内面（筒状）
３４  窓
３５  保持要素
３６  トルク伝達ボール
３６  ボール
３７  ネジ
３８  停止および案内面
３９  カラー
４０  突起
４１  フランジ環
４２  基部部分
４３  指部
【図１】
0004230273.tif 000002
【図２】
0004230273.tif 000003
【図３】
0004230273.tif 000004
【図４】
0004230273.tif 000005
【図５】
0004230273.tif 000006
【図６】
0004230273.tif 000007
【図７】
0004230273.tif 000008
【図８】
0004230273.tif 000009
【図９】
0004230273.tif 000010
【図１０】
0004230273.tif 000011
【図１１】
0004230273.tif 000012
【図１２】
0004230273.tif 000013
【図１３】
0004230273.tif 000014
【図１４】
0004230273.tif 000015